(57)【要約】【課題】簡易な構造でガイドレールの精度を高め、かつ繋ぎ目の段差を平滑化するための摺り合わせ作業を不要とすることのできるエレベータのガイド装置の提供。【解決手段】ガイドレールに沿って摺動して昇降体を案内するガイド装置のガイドシュー６に、ガイドレールに摺接する研磨部５を設け、このガイドシュー６が取付けられた昇降体をエレベータ据付けから所定期間、走行させることによりガイドレールを平滑化し、あらかじめ設定される目標性能を達成するものである。研磨部５を、エレベータにあらかじめ備えられ、かつ比較的大きな強度を有するよう設計されるガイドシュー６に設けるものであることから、ガイドシューの基本構造の変更を要することがない。【選択図】図１
2008007248.tif 000002
【特許請求の範囲】
【請求項１】
昇降体に取付けられ、昇降路に立設されたガイドレールに沿って摺動して前記昇降体を案内するガイドシューを備えたエレベータのガイド装置において、
前記ガイドシューに、前記ガイドレールに摺接する研磨部を設けたことを特徴とするエレベータのガイド装置。
【請求項２】
前記研磨部は、前記ガイドシューの摺動面に塗布される研磨剤から成ることを特徴とする請求項１記載のエレベータのガイド装置。
【請求項３】
前記研磨剤の塗膜量は、所定期間に亘る前記昇降体の昇降に応じて消耗される値に設定されることを特徴とする請求項２記載のエレベータのガイド装置。
【請求項４】
前記研磨部は、着脱式であることを特徴とする請求項１記載のエレベータのガイド装置。
【請求項５】
前記ガイドシューの摺動面に、前記研磨部の磨耗に応じて前記ガイドレールとの摺動に伴い鳴動する報知溝を形成したことを特徴とする請求項１記載のエレベータのガイド装置。
【発明の詳細な説明】
【技術分野】
【０００１】
本発明は、据付中または直後のエレベータに係り、特にガイドレールの昇降体を案内する摺動面が未だ粗面を呈する時期にあるガイドレールに用いられるエレベータのガイド装置に関する。
【背景技術】
【０００２】
エレベータ用のガイドレールは、製品そのものの精度を高めると同時に、繋ぎ目の段差については現地で摺り合わせを実施し改善することにより最終的な走行性能を確保している。
【０００３】
また、従来、ガイドレールの精度を高めるものとして、ガイドレールに案内されて移動する昇降体との間の摺動面に潤滑油を供給する含油部材、および含油部材の対ガイドレール面に配設された多孔質網状部材を備えた潤滑油供給装置にあって、多孔質網状部材に研磨性に富む物質を含ませ、所定期間、昇降体を上下動させることにより、ガイドレールの摺動面を研磨し、平滑化するものが提案されている（例えば、特許文献１参照）。
【特許文献１】特開昭６４−８１７８３号公報（第２頁、第１図）
【発明の開示】
【発明が解決しようとする課題】
【０００４】
前述した従来のものは、潤滑油供給装置に研磨機能を持たせるものであるが、実際、潤滑油供給装置はガイドレールに摺接して潤滑油を供給するという目的に応じて比較的簡易な構造となっている。このため、ガイドレールの摺動面の研磨、特に、繋ぎ目の段差を平滑化するに足りる研磨機能を潤滑油供給装置に備えようとすると、装置の強度を上げる必要があるとともに、装置の大型化を避けることができない。また、この場合、例えば乗かご上に比較的大きな寸法を有する潤滑油供給装置を設置することが必要となるが、近年、機械室レスエレベータが主流となっており、このようなエレベータの場合、可能な限りエレベータの設置スペースを低減することを目的としていることから、乗かご上のスペースに制限があり、乗かご上にこのような装置を設置することは現実的に難しいという問題がある。
【０００５】
本発明は、前述した従来技術における実状からなされたもので、その目的は、簡易な構造でガイドレールの精度を高め、かつ繋ぎ目の段差を平滑化するための摺り合わせ作業を不要とすることのできるエレベータのガイド装置を提供することにある。
【課題を解決するための手段】
【０００６】
前記目的を達成するために、本発明の請求項１に係る発明は、昇降体に取付けられ、昇降路に立設されたガイドレールに沿って摺動して前記昇降体を案内するガイドシューを備えたエレベータのガイド装置において、前記ガイドシューに、前記ガイドレールに摺接する研磨部を設けたことを特徴としている。
【０００７】
このように構成した本発明の請求項１に係る発明は、エレベータの昇降体に具備されるガイドシューに研磨部を備え、このガイドシューが取付けられた昇降体をエレベータ据付けから所定期間、走行させることによりガイドレールを平滑化し、あらかじめ設定される目標性能を達成する。このように、研磨部はエレベータにあらかじめ備えられ、かつ比較的大きな強度を有するよう設計されるガイドシューに設けられるものであることから、ガイドシューの基本構造の変更を要することがなく、したがって、簡易な構造でガイドレールの精度を高め、かつ繋ぎ目の段差を平滑化するための摺り合わせ作業を不要とすることができる。
【０００８】
また、本発明の請求項２に係る発明は、前記研磨部は、前記ガイドシューの摺動面に塗布される研磨剤から成ることを特徴としている。
【０００９】
このように構成した本発明の請求項２に係る発明は、研磨部は、ガイドシューの摺動面に塗布される研磨剤であることから、あらかじめ備えられるガイドシューの基本構造の変更を要することがなく、簡易な構造でガイドレールの平滑化を行うことができる。
【００１０】
さらに、本発明の請求項３に係る発明は、前記研磨剤の塗膜量は、所定期間に亘る前記昇降体の昇降に応じて消耗される値に設定されることを特徴としている。
【００１１】
このように構成した本発明の請求項３に係る発明は、研磨剤が塗布されたガイドシューをエレベータ据付けから所定期間、走行させると、ガイドレールは平滑化されあらかじめ設定される目標性能に達する。一方、この目標性能達成時期に合わせて研磨剤はガイドレールとの摺接に応じて消耗し、この後、ガイドシューはそのまま通常の昇降体案内手段として用いられる。これによって、研磨用のガイドシューから通常用のガイドシューへの交換作業を不要とすることができる。
【００１２】
また、本発明の請求項４に係る発明は、前記研磨部は、着脱式であることを特徴としている。
【００１３】
このように構成した本発明の請求項４に係る発明は、研磨部を備えたガイドシューをエレベータ据付けから所定期間、走行させ、ガイドレールが平滑化されてあらかじめ設定される目標性能に達したとき、研磨部だけを取外し、ガイドシューはそのまま通常の昇降体案内手段として用いられる。これによって、ガイドレールが平滑化された時点で大掛かりなガイドシューの交換作業を不要とすることができる。
【００１４】
さらに、本発明の請求項５に係る発明は、前記ガイドシューの摺動面に、前記研磨部の磨耗に応じて前記ガイドレールとの摺動に伴い鳴動する報知溝を形成したことを特徴としている。
【００１５】
このように構成した本発明の請求項５に係る発明は、ガイドシューの研磨部が磨耗すると報知溝とガイドレールとが摺動することに伴い鳴動する。そして、この研磨部の磨耗による鳴動を、ガイドレールが平滑化されてあらかじめ設定される目標性能に達したときと合致するよう設定することにより、容易にガイドシューの交換時期を判断することができる。
【発明の効果】
【００１６】
本発明によれば、エレベータにあらかじめ備えられ、かつ比較的大きな強度を有するよう設計されるガイドシューに研磨機能を持たせることによりガイドレールを平滑化させるものであることから、特別な装置の新設および装置の大型化を要することがなく、したがって、昇降体の占有スペースの増加を招くことを避けてあらゆる形態のエレベータに適用可能とするとともに、装置の設置費用の低減を図ることができる。また、現地で摺り合わせ作業を不要とすることにより、労力の低減も図ることができる。
【発明を実施するための最良の形態】
【００１７】
以下、本発明に係るエレベータのガイド装置の実施の形態を図に基づいて説明する。
【００１８】
図１は本発明に係るエレベータのガイド装置の第１の実施形態を示す斜視図、図２はガイド装置が備えられるエレベータの概略構成図である。
【００１９】
エレベータは図２に示すように、下枠１ａ、縦枠１ｂおよび上枠１ｃを有するかご枠１と、このかご枠１に保持されるかご室２と、ガイドレール３に沿って摺動してかご枠２を案内するガイド装置４とを備えている。そして、第１の実施形態のガイド装置４は図１に示すように、かご枠２の四隅に配置されるとともに、ガイドレール３と摺接する研磨部５を有するガイドシュー６を備えている。なお、研磨部５は、ガイドレール３の一方の側面、他方の側面および正面にそれぞれ摺接するようガイドシュー６の３面に配設されている。
【００２０】
第１の実施形態にあっては、エレベータの据付け後、研磨用のガイドシュー６、すなわち研磨部５を有するガイドシュー６をかご枠２に装着し、この状態でエレベータを所定期間、走行させるとガイドレール３は平滑化され、あらかじめ設定される目標性能を達成する。このようにしてガイドレール３が平滑化された後、研磨用のガイドシュー６を取外し、図示しない通常用のガイドシュー、すなわち既存のガイドシューをかご枠２に装着して運転を行う。
【００２１】
第１の実施形態によれば、研磨部５はエレベータにあらかじめ備えられ、かつ比較的大きな強度を有するよう設計されるガイドシュー６に設けられるものであることから、ガイドシュー６の基本構造の変更を要することがなく、したがって、簡易な構造でガイドレール３の精度を高め、かつ繋ぎ目の段差を平滑化するための摺り合わせ作業を不要とすることができる。
【００２２】
図３は本発明に係るエレベータのガイド装置の第２の実施形態を示す斜視図である。なお、エレベータの概略構成に関しては前述した図２を参照して説明する。
【００２３】
第２の実施形態のガイド装置４は図３に示すように、かご枠２の四隅に配置されるとともに、ガイドレール３と摺接する研磨部１５を有するガイドシュー１６を備えている。そして、前述の研磨部１５は、ガイドレール３との摺動面に塗布された研磨剤１５ａから成っており、かつ研磨剤１５ａの塗膜量は、所定期間に亘る昇降体の昇降に応じて消耗される値に設定されている。
【００２４】
第２の実施形態にあっては、エレベータの据付け後、ガイドレール３との摺動面に研磨剤１５ａが塗布されたガイドシュー１６をかご枠２に装着し、この状態でエレベータを所定期間、走行させるとガイドレール３は平滑化され、あらかじめ設定される目標性能に達する。一方、この目標性能達成時期に合わせて研磨剤１５ａはガイドレール３との摺接に応じて消耗し、この後、ガイドシュー１６はそのまま通常の昇降体案内手段として用いられる。
【００２５】
第２の実施形態によれば、研磨部１５をガイドシュー１６の摺動面に塗布された研磨剤１５ａとすることにより、あらかじめ備えられるガイドシュー１６の基本構造の変更を要することがなく、簡易な構造でガイドレール３の平滑化を行うことができる。また、ガイドレール３が平滑化された時点で研磨剤１５ａがガイドレール３との摺接に応じて消耗するよう設定されることにより、研磨用のガイドシューから通常用のガイドシューへの交換作業を不要とすることができる。
【００２６】
図４は本発明に係るエレベータのガイド装置の第３の実施形態を示す斜視図である。なお、エレベータの概略構成に関しては前述した図２を参照して説明する。
【００２７】
第３の実施形態のガイド装置４は図４に示すように、かご枠２の四隅に配置されるとともに、ガイドレール３と摺接する研磨部２５を有するガイドシュー２６を備えている。そして、前述の研磨部２５は、ナット２７により着脱可能にガイドシュー２６に固定されている。
【００２８】
第３の実施形態にあっては、エレベータの据付け後、研磨部２５を有するガイドシュー２６をかご枠２に装着し、この状態でエレベータを所定期間、走行させるとガイドレール３は平滑化され、あらかじめ設定される目標性能を達成する。このようにしてガイドレール３が平滑化された後、ナット２７を緩め研磨部２５を取外し、この状態でガイドシュー２６はそのまま通常の昇降体案内手段として用いられる。なお、着脱可能な研磨部２５は繰り返し使用することが可能であり、他のエレベータに備えられるガイドレールの研磨のために併用することができる。
【００２９】
第３の実施形態によれば、ガイドレール３が平滑化された時点で研磨部２５のみを取外して通常運転に移行すればよく、大掛かりなガイドシュー２６の交換作業を不要として作業の簡易化を図ることができる。
【００３０】
図５は本発明に係るエレベータのガイド装置の第４の実施形態を示す斜視図である。なお、エレベータの概略構成に関しては前述した図２を参照して説明する。
【００３１】
第４の実施形態のガイド装置４は図５に示すように、かご枠２の四隅に配置されるとともに、ガイドレール３と摺接する研磨部３５を有するガイドシュー３６を備えている。また、ガイドシュー３６には、摺動面に、研磨部３５の磨耗に応じてガイドレール３との摺動に伴い鳴動する報知溝３７が形成されている。
【００３２】
第４の実施形態にあっては、エレベータの据付け後、研磨部３５を有するガイドシュー３６をかご枠２に装着し、この状態でエレベータを所定期間、走行させるとガイドレール３は平滑化され、あらかじめ設定される目標性能を達成する。そして、ガイドレール３が平滑化されて目標性能に達したときと合致して研磨部３５が磨耗し、報知溝３７とガイドレール３とが摺動することに伴い鳴動する。これに応じて作業員は、ガイドレール３が平滑化されことを認知し、研磨用のガイドシュー３６を取外し、図示しない通常用のガイドシュー、すなわち既存のガイドシューをかご枠２に装着して運転を行う。
【００３３】
第３の実施形態によれば、報知溝３７による鳴動により、容易にガイドシューの交換時期を判断することができる。
【図面の簡単な説明】
【００３４】
【図１】本発明に係るエレベータのガイド装置の第１の実施形態を示す斜視図である。
【図２】ガイド装置が備えられるエレベータの概略構成図である。
【図３】本発明に係るエレベータのガイド装置の第２の実施形態を示す斜視図である。
【図４】本発明に係るエレベータのガイド装置の第３の実施形態を示す斜視図である。
【図５】本発明に係るエレベータのガイド装置の第４の実施形態を示す斜視図である。
【符号の説明】
【００３５】
１      かご枠
１ａ    下枠
１ｂ    縦枠
１ｃ    上枠
２      かご室
３      ガイドレール
４      ガイド装置
５      研磨部
６      ガイドシュー
１５    研磨部
１５ａ  研磨剤
１６    ガイドシュー
２５    研磨部
２６    ガイドシュー
２７    ナット
３５    研磨部
３６    ガイドシュー
３７    報知溝
【図１】
2008007248.tif 000003
【図２】
2008007248.tif 000004
【図３】
2008007248.tif 000005
【図４】
2008007248.tif 000006
【図５】
2008007248.tif 000007